(57)【要約】【課題】本体の外側にあるホースや、接続部からの水漏れを容易に知ることができる食器洗い機を提供する。【解決手段】筐体１ａ内に配され食器９を洗浄する洗浄槽２と、一端が洗浄槽２に連通し他端が本体１外部の配管部１４に接続される給水ホース３と、通水可能で給水ホース３を覆い一端が筐体１ａに接続され、配管部１４側の他端が密閉されたホース部材１６とを備え、ホース部材１６内への漏水を筐体１ａの内部へ導くようにしたもので、本体１外部の給水ホース３や、配管部１４との接続部１４ａなどから漏水しても、その水がホース部材１６を通って筐体１ａ内部に戻って行くので、本体１内に漏水を検知する漏水検知手段（図示せず）があれば、漏水が確実に検知され、漏水検知手段がない場合でも、溜まった漏水が、本体１の前方から出てくるので、使用者は、漏水に容易に気付くことができる。【選択図】図１
2007185412.tif 000002
【特許請求の範囲】
【請求項１】
筐体と、前記筐体内に配され食器を洗浄する洗浄槽と、一端が前記洗浄槽に連通すると共に他端が本体外部の配管部に接続されるホースと、通水可能で前記ホースを覆うと共に前記本体側の端部が前記筐体に接続され、前記配管部側の端部が密閉されたホース部材とを備え、前記ホース部材内への漏水を前記筐体の内部へ導くようにした食器洗い機。
【請求項２】
筐体内部に、漏水を検知する漏水検知手段を配置した請求項１に記載の食器洗い機。
【請求項３】
ホース部材の配管部側端部の密閉部分を、前記配管部とホースとの接続部より前記配管部側まで延設させた請求項１又は２に記載の食器洗い機。
【請求項４】
ホース部材の配管部側端部の密閉部分を、前記配管部とホースとの接続部に位置させた請求項１又は２に記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来、この種の食器洗い機は、図４に示すように構成されていた。以下、その構成について説明する。
【０００３】
図４に示すように、食器洗い機本体１は、内部に洗浄槽２を設けており、この洗浄槽２内へ、機外から給水ホース３を通して、給水弁４により水または湯を供給するようにしている。洗浄槽２の底部に連通して、モータ５によって駆動される洗浄ポンプ６を取り付け、この洗浄ポンプ６により、洗浄水を洗浄槽２の内部で循環するよう構成している。すなわち、この循環は、洗浄水が、洗浄槽２の底部から洗浄ポンプ６に吸いこまれ、洗浄ポンプ６より洗浄槽２の内底部に回転自在に設けた洗浄ノズル７に供給され、この洗浄ノズル７から噴射され、食器９を洗浄した後、再び洗浄槽２の底部に戻るという経路で行われる。
【０００４】
洗浄ノズル７と洗浄槽２の底部との間には、洗浄水加熱用のヒータ８を装備している。また、洗浄ノズル７の上方には、食器９を整然と配置でき、洗浄水が効果的に食器９に噴射されるように構成した食器かご１０を設置している。また、洗浄槽２の前面部には、開閉自在な扉１１を取り付けている。
【０００５】
食器かご１０には、複数の移動用ローラ１０ａを配設し、開放した扉１１の上部を食器洗い機本体１の前面外部へ引き出し可能になっている。また、１２は、排水ポンプで、排水ホース１３を通して洗浄水を機外に排出するものである。
【０００６】
ここで、給水ホース３、排水ホース１３の配置構成を説明すると、給水の吐出口は製品の溢水面に対して一定以上の高さが必要になるため給水弁４の位置および給水ホース３との接続部は、機体の上方に配置する必要がある。また、排水ホース１３も、洗浄槽２内部の洗浄水が機外に抜けないために洗浄水の水面より一旦上方に立上げる必要があるので、その上端も機体の上方に配置している。以上のように、給水ホース３と排水ホース１３のそれぞれの一部は必ず機体の上方に配置される（例えば、特許文献１参照）。
【０００７】
ここで、従来の食器洗い機においては、給水ホース３や排水ホース１３のそれぞれは、本体１の外側で、給水設備や、排水管などの配管部１４の接続部１４ａと接続される。また、その接続部１４ａの高さは、さまざまであり、筐体１ａのホース出口１ｂより低い位置で接続されることが多い。例えば、筐体１ａ内部で、給水ホース３や排水ホース１３を下げて、ホース出口１ｂを下げることもできるが、特にビルトインタイプのものにおいては、食器洗い機本体１よりも低い位置で接続される場合も多いので、配管部１４の接続部１４ａの方が筐体１ａのホース出口１ｂより低くなる場合が多い。
【０００８】
また、給水を制御する水位検知手段（図示していない）の故障や、食器洗い機内部のホースのつなぎ部の不都合等で、各部から洗浄水が漏れ出した場合に備えて、食器洗い機の筐体１ａの底部に漏水検知手段１５を配しているものもある。
【特許文献１】特開２００３−２１０３７８号公報
【発明の開示】
【発明が解決しようとする課題】
【０００９】
しかしながら、このような従来の食器洗い機の構成では、食器洗い機本体１の外側にある給水ホース３や、排水ホース１３および接続部１４ａは、ホース出口１ｂよりも低い位置にあるので、これらの部分から水漏れが生じたとしても、筐体１ａの内部へその漏水が戻ってくることはない。したがって、筐体１ａの底部に漏水検知手段１５を備えていても、本体１の外側で発生する漏水を検知することはできないという課題があった。
【００１０】
本発明は、上記従来の課題を解決するもので、食器洗い機本体の内部における漏水は勿論、外部における漏水も容易に検知することができる、安全性の高い食器洗い機を提供することを目的としている。
【課題を解決するための手段】
【００１１】
上記従来の課題を解決するために、本発明の食器洗い機は、筐体と、前記筐体内に配され食器を洗浄する洗浄槽と、一端が前記洗浄槽に連通すると共に他端が本体外部の配管部に接続されるホースと、通水可能で前記ホースを覆うと共に前記本体側の端部が前記筐体に接続され、前記配管部側の端部が密閉されたホース部材とを備え、前記ホース部材内への漏水を前記筐体の内部へ導くようにしたもので、本体外部の給水ホースや排水ホースなどのホースや、そのホースと配管部との接続部などから漏水しても、その水がホース部材の内部を通り筐体内部に戻って行くので、本体の内部に漏水を検知する漏水検知手段があると、ほとんど全ての漏水を検知できる安全性の高い食器洗い機を提供することができる。また、漏水検知手段がない場合においても、筐体内部に溜まった漏水が、食器洗い機本体の前方から出てくるので、ユーザーの気付きにくい本体後方の見えないところで発生する漏水にも、速やかにユーザーが気付き、漏水による大きな被害を防止することができる。
【発明の効果】
【００１２】
本発明の食器洗い機は、本体外部の給水ホースや排水ホースなどのホースや、ホースと配管部の接続部などで漏水が発生しても、その水が、ホース部材の内部を通って筐体内部に戻って行くので、本体の内部に漏水検知手段があれば、それによって漏水が検知され、また、漏水検知手段がない場合でも、本体の前面から漏れ出てくるので、使用者は、容易に漏水に気づき、大事に至るのを防止することができる。
【発明を実施するための最良の形態】
【００１３】
第１の発明は、筐体と、前記筐体内に配され食器を洗浄する洗浄槽と、一端が前記洗浄槽に連通すると共に他端が本体外部の配管部に接続されるホースと、通水可能で前記ホースを覆うと共に前記本体側の端部が前記筐体に接続され、前記配管部側の端部が密閉されたホース部材とを備え、前記ホース部材内への漏水を前記筐体の内部へ導くようにしたもので、本体外部の給水ホースや排水ホースなどのホースや、そのホースと配管部との接続部などから漏水しても、その水がホース部材の内部を通り筐体内部に戻って行くので、本体の内部に漏水を検知する漏水検知手段があると、ほとんど全ての漏水を検知できる安全性の高い食器洗い機を提供することができる。また、漏水検知手段がない場合においても、筐体内部に溜まった漏水が、食器洗い機本体の前方から出てくるので、ユーザーの気付きにくい本体後方の見えないところで発生する漏水にも、速やかにユーザーが気付き、漏水による大きな被害を防止することができる。
【００１４】
第２の発明は、特に、第１の発明の筐体内部に、漏水を検知する漏水検知手段を配置したもので、本体外部のホースや、ホースと配管部との接続部から漏水しても、それがホース部材の内部を通り、筐体内部に戻って行き、本体の内部にある漏水検知手段で確実に検知されるので、ほとんど全ての漏水を検知することができる安全性の高い食器洗い機を提供することができる。
【００１５】
第３の発明は、特に、第１又は第２の発明のホース部材の配管部側端部の密閉部分を、前記配管部とホースとの接続部より前記配管部側まで延設させたもので、最終の構成を工事者の責任にゆだねる必要があるが、ホースと配管部との接続部までの間で発生する漏水を検知することができるので、ユーザーにとってはより使用勝手の良いものとなる。
【００１６】
第４の発明は、特に、第１又は第２の発明のホース部材の配管部側端部の密閉部分を、前記配管部とホースとの接続部に位置させたもので、本体外側の漏水が検知できる範囲が、製品として出荷する形態としての保証ができ、本体外部で漏水が発生したときに、その原因が、本体側にあるのか、設置工事時の施工方法にあるのか明確にすることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における食器洗い機の断面図、図２は、同食器洗い機の要部拡大図である。なお、従来例と同一部品には、同一符号を付してその説明を省略する。
【００１９】
図１、２において、本実施の形態における食器洗い機は、食器洗い機本体１（以下、「本体１」という）内部に配置した給水弁４から、筐体１ａ外部に給水ホース（ホース）３を設けており、その給水ホース３の外側に給水ホース３を覆うようにホース部材１６を配設する。このホース部材１６の本体１側の端部は、筐体１ａに固定した接続部材１７に差込まれてホース部材１６の内側の空間と筐体１ａ内部とを連通するようにしている。さらに、ホース部材１６の本体１と逆側の部分、すなわち、配管部１４側の端部は、外部の配管部（給水管）１４との接続部１４ａを含めて、密閉部材１６ａで閉じて、配管部１４側を密閉構造としている。
【００２０】
ここで、給水ホース３と、外側の配管部１４との接続部１４ａの構成について説明しておく。給水ホース３は、ホース３ａと、接続ジョイント３ｂと、ホース３と接続ジョイント３ｂの外れを防ぐ為の加締め部材３ｃと、配管部１４への取付け部（ナット）３ｄ、および配管部１４の接続部１４ａとのシールの為のパッキング３ｅから構成されている。
【００２１】
配管部１４の接続部１４ａのねじ１４ｂに、取付け部３ｄを締付けると、パッキング３ｅにより、ホース３ａと接続部１４ａとの接続を確実に行うと共に、この接続部１４ａからの水漏れを防止している。
【００２２】
以上のように構成された食器洗い機について、以下その動作、作用を説明する。
【００２３】
ホース部材１６は、上記のように、筐体１ａから配管部１４まで、給水用の配管関係の接続部を全て覆っている。また、外部の配管部１４側の先端において、密閉構造としているので、ホース部材１６の内部において、水漏れが発生した場合、確実にホース部材１６の内部に漏水が溜まる。例えば、ホース３ａ自体の破れ、接続ジョイント３ｂの加締め不良による漏れ、給水工事のミスによるパッキング３ｅのシール不良といった原因により水漏れが発生すると、ホース部材１６の内部にその漏水が溜まる。この場合、ホース部材１６の筐体１ａ側の方が高い場合においても、漏水量が増えてくると、ホース部材１６が満水となり、接続部材１７の内側から、筐体１ａ内部に漏水があふれて筐体１ａの底部に漏水が溜まる。この漏水を、漏水検知手段１５により、検知することができる。この場合に、異常報知を行って、使用者に漏水の発生を知らせて、適切な処置を行ってもらうことができる。
【００２４】
したがって、本体１の外部で漏水が発生しても、使用者に確実にその漏水状態を、知らせることができるので、使用者が気付かずに、かなりの時間に渡って漏水し続けるという事態を避けることができる。
【００２５】
以上のように、本実施の形態によれば、本体１の内部ばかりでなく、本体１の外部の水漏れを検知できるので、より漏水に対する安全性の高い食器洗い機を提供することができる。
【００２６】
また、本実施の形態においては、筐体１ａ内部に給水弁４を配置しているので、電装部品（図示せず）としては、従来とほぼ同等の構成のまま、本発明を実施することができる。したがって、スペース的にも変わらず、配線等においても従来と同様な信頼性を確保できる。なお、給水弁４を、外部の配管部１４の接続部１４ａの近傍に配置し、給水の１次側の配管を極力短くする構成にしても、それらの部分に密閉構造を設ければ、本発明を実施するにあたり何ら問題はなく、同様の効果を得ることができるものである。
【００２７】
なお、上記実施の形態では、給水関係の接続を例にして説明したが、当然ながら、排水ホース１３の外側にホース部材１６を配置した場合も同様の動作、作用、効果を有することは、言うまでもない。さらに、特に図示しないが、給水ホース３と排水ホース１３を近接させて配置し、その両者をひとつのホース部材１６によりカバーするようにしても良い。
【００２８】
また、漏水検知手段１５が設けられていない食器洗い機の場合でも、筐体１ａ内部に溜まった漏水が本体１の前方から漏れ出てくるので、ユーザーの気付きにくい本体１の後方の見えないところで発生する漏水も、速やかにユーザーが気付き、漏水による大きな被害を確実に防ぐことができる。
【００２９】
（実施の形態２）
図３は、本発明の第２の実施の形態における食器洗い機の要部拡大断面図である。なお、従来例と同一部品には、同一符号を付してその説明を省略する。
【００３０】
上記第１の実施の形態では、ホース部材１６で、外部の配管部１４まで覆ったが、本実施の形態は、図３に示すように、給水ホース３を覆うホース部材１８で、給水ホース３の配管部１４への取付け部３ｄまで覆うと共に、取付け部３ｄに、ホース部材１８の先端に設ける密閉部材１８ａを配置して、この取付け部材３ｄとの密閉効果を持たせるようにしたものである。なお、取付け部３ｄに、ねじ１４ｂに締付けるための六角状の部分３ｆと、密閉部材１８ａに密着して密閉を確保する為の円柱状の部分３ｇをそれぞれ設けておけば、簡単な構成で、給水ホース３と配管部１４との結合と、ホース部材１８の端部での密閉を確実に行うことができる。
【００３１】
以上のように構成された食器洗い機について、以下その動作、作用を説明する。
【００３２】
ホース部材１８の漏水時の作用については、実施の形態１におけるホース部材１６と全く同様であるので、説明を省略する。しかしながら、本実施の形態においては、実施の形態１と異なり、外部の配管部１４との接続部１４ａで発生する漏水を検知できなくなる。したがって、第１の実施の形態の方が望ましいが、この部分は、配管工事のあとに確実に密閉部分をセットしてもらう必要があり、食器洗い機の設置時に使用される配管部１４の接続部１４ａの形状もさまざまで（例えば止水用の部材の形状）、食器洗い機を製造、供給する側として保証していくのは、難しい場合もある。したがって、本実施の形態によれば、製造元からの出荷時においての保証を明確にする点では、非常に有効である。
【００３３】
したがって、本体１の外部からの漏水に対して本体１としての保証できる範囲で、使用者に確実にその漏水状態を、知らせることができるので、使用者が気付かずに、かなりの時間漏水し続けるという事態を避けることができる。なお、他の配管等における作用等は、実施の形態１と同様なので、説明を省略する。
【００３４】
以上のように、本実施の形態によれば、本体１内部ばかりでなく、本体１の外部の水漏れも検知できるので、より漏水に対して安全性の高い食器洗い機を提供することができる。
【産業上の利用可能性】
【００３５】
以上のように、本発明にかかる食器洗い機は、本体外部の給水ホース、排水ホースなどのホース、配管部の接続部からの漏水も容易に検知できるので、安全性の高いものであり、食器洗い機に限らず、洗濯機など、水や液体を利用する各種機器に適用できる。
【図面の簡単な説明】
【００３６】
【図１】本発明の実施の形態１における食器洗い機の縦断面図
【図２】同食器洗い機の要部断面図
【図３】本発明の実施の形態２における食器洗い機の要部断面図
【図４】従来の食器洗い機の縦断面図
【符号の説明】
【００３７】
１ａ  筐体
２  洗浄槽
３  給水ホース（ホース）
９  食器
１３  排水ホース（ホース）
１４  配管部
１４ａ  接続部
１５  漏水検知手段
１６  ホース部材
【図１】
2007185412.tif 000003
【図２】
2007185412.tif 000004
【図３】
2007185412.tif 000005
【図４】
2007185412.tif 000006